(57)【特許請求の範囲】
【請求項１】
手前側より奥側へカートリッジをスライド挿入してセットするように構成した記録／再生装置において、
カートリッジに収納された記録媒体に対する記録／再生手段を有する第一キャビネットと、この第一キャビネットに対してその厚み方向において接近した第一の位置と離脱した第二の位置とにわたって移動自在に構成され、蓋体として機能する第二キャビネットと、この第二キャビネット内でカートリッジを保持するホルダーと、このホルダーに設けられた挿抜口を中央にしてその両側にそれぞれ配置され、第一キャビネットと第二キャビネットとを連結するリンク機構と、前記第二キャビネットを第一キャビネットに接近した第一の位置の方向に常時付勢する付勢手段と、前記第二キャビネットを前記付勢手段による付勢力に抗して前記第一の位置から第二の位置に離脱させる方向へ移動させる前記リンク機構と連動するべく構成し、第二キャビネットの第一キャビネットに対する離脱時に前面位置のホルダの挿抜口を開放させる開放手段と、前記挿抜口に隣接する前記第一キャビネットの側面箇所においてスライド自在に配置されたオープン操作ツマミとを備え、このオープン操作ツマミと前記開放手段とを連動させ、オープン操作ツマミの操作により挿抜口を開放可能に構成したことを特徴とする記録／再生装置。
【請求項２】
オープン操作ツマミは、第一キャビネットの側面より開閉自在または離脱自在に配設された補助蓋体に、スライド自在に取り付けられていることを特徴とする請求項１に記載の記録／再生装置。
【請求項３】
補助蓋体は電池用挿入口を開閉する蓋体であることを特徴とする請求項２記載の記録／再生装置。
【発明の詳細な説明】
【０００１】
【発明の属する技術分野】
本発明は、手前側より奥側へカートリッジをスライド挿入してセットするように構成した記録／再生装置、特に記録／再生装置の蓋体を開閉する構造に関するものである。
【０００２】
【従来の技術】
カートリッジを使用する記録／再生装置の一例として、携帯可能なポータブルミニディスクプレーヤがある。この種のポータブルミニディスクプレーヤ（以下、ポータブルＭＤという）として、手前側より奥側へカートリッジをスライド挿入してセットするように構成した記録／再生装置（ポータブルＭＤ）が特開平１２−９０５３５号公報に開示されている。
【０００３】
この記録／再生装置は、図７、図８に示すように、ホルダー６を備えた可動キャビネット１が、カートリッジ７を着脱する際にのみ、本体キャビネット２の上面開口部１０から上方へ突出量ｄだけ移動し、カートリッジ７の挿入・取り出しを行う着脱の際以外のカートリッジ非装着状態および装着完了状態（記録／再生時を含む）では、可動キャビネット１が本体キャビネット２の内部に移動して沈み込んだ状態、すなわちキャビネットの厚み方向において近接した状態となるように構成されている。
【０００４】
そして、カートリッジ７を装着した状態においては、本体キャビネット２の内部に可動キャビネット１が沈み込んだ状態で、カートリッジ７に内蔵されたディスクが本体キャビネット２の側のディスク回転駆動機構４に連結されて回転駆動され、光ピックアップ５がディスクにアクセスするように構成している。この場合に、カートリッジ７を装着した使用状態で、ポータブルＭＤの厚みがカートリッジ７の非装着状態と同じ厚みにすることができるため、図９に示すように、カートリッジ７を昇降させるスペース（カートリッジ７をディスク回転駆動機構９０などから離脱させるためのスペース）をキャビネット９１内に常に確保する構造の記録／再生装置に比べて、薄型化を実現できる。
【０００５】
具体的には、この記録／再生装置は、以下のような構成とされている。
この記録／再生装置は、図７、図８、図１０〜図１８に示すように、カートリッジ７に収納された記録媒体に対して記録／再生する記録／再生手段としてのディスク回転駆動機構４および光ピックアップ５と、前記記録／再生手段を有する第一キャビネットとしての本体キャビネット２と、この本体キャビネット２に対してその厚み方向において接近した第一の位置と離脱した第二の位置とにわたって移動自在に構成され、蓋体として機能する第二キャビネットとしての可動キャビネット１と、この可動キャビネット１内でカートリッジ７を保持するホルダー６と、このホルダー６の前面に設けられた挿抜口６ｃを中央にしてその両側にそれぞれ配置され、本体キャビネット２と可動キャビネット１とを連結する略Ｘ字形状のリンク機構５０と、可動キャビネット１を本体キャビネット２に接近した第一の位置の方向に常時付勢する付勢手段としてのねじりコイルばね３６Ｌ，３６Ｒと、前記挿抜口６ｃを開閉する挿抜口蓋１４と、前記挿抜口６ｃが設けられている記録／再生装置の前面における下方箇所で左右にスライド自在に配置されたオープン操作ツマミ２６とを備えている。
【０００６】
本体キャビネット２は、ディスク回転駆動機構４や光ピックアップ５が取付けられたシャーシ２１と、このシャーシ２１を下方から覆う底部蓋３９と、シャーシ２１にネジ１２ｇ，１２ｈ（図１４参照）で固定されてシャーシ２１の左右側面部および背面部を覆う中間キャビネット３８と、シャーシ２１の前面部を覆う前面キャビネット２６とから構成されている。
【０００７】
可動キャビネット１とホルダー６とは両側面が下方に折曲されており、この両側面の前端と後端部とが支持軸１１やビス１２ａ〜１２ｃを介して互いに組付けられる。挿抜口蓋１４の左右両端には略後方に延びる支持アーム１４Ｌ，１４Ｒが一体的に形成されており、挿抜口蓋１４は、ホルダー６の両側面前端部に配設された支持軸１１およびビス１２ａを中心として上方側に開閉可能とされている。また、支持軸１１には、ホルダー６を閉方向に付勢するねじりコイルばね４０が外装されている。ここで、支持アーム１４Ｌ，１４Ｒは支持軸１１やビス１２ａで軸支されている箇所よりもさらに後方に延設されており、挿抜口蓋１４が上方側に開けられた際には、支持アーム１４Ｌ，１４Ｒの後方延設部分がシャーシ２１に当接可能とされている（図１５（ｂ）参照）。
【０００８】
リンク機構５０は、ホルダー６と可動キャビネット１との間の両側方箇所ならびに後方箇所に収納されており、左右の側面部とこれらを連結する背面部とからなる平面視略コ字形状のリンクアングル１９と、ホルダー６の両側方箇所においてそれぞれリンクアングル１９と側面視してＸ形状に交差するように配置されるリンク板１８Ｌ，１８Ｒとから構成されている。リンクアングル１９は、前端部の係合溝１９Ｌ，１９Ｒで前記支持軸１１とビス１２ａとに回動可能に係合しているとともに、後端の角部に形成された切欠部１９ｃ，１９ｄが中間キャビネット３８の後部両端に突設された突部３８ｃ，３８ｄに嵌入され、これらの箇所を回動支点として、その前側が上方に揺動可能に配置されている。また、各リンク板１８Ｌ，１８Ｒは、後端部にビス１２ｂ，１２ｃが挿通されて回動可能に係合しているとともに、前端部から側方に突出する回転支軸２４が、シャーシ２１の右折曲片２１Ｒと左折曲片２１Ｌとに形成された取付溝２１ａに係合されて、これらの箇所を回動支点として、その前側が上方に揺動可能に配置されている。そして、リンクアングル１９における前後方向の中間部箇所から係合片１９ａ，１９ｂが切り起こして形成され、この係合片１９ａ，１９ｂが、各リンク板１８Ｌ，１８Ｒの略中間部に形成された溝部２０に係合されている。このように、側面視してＸ形状に交差するように配置されたリンク機構５０を介することで、シャーシ２１などの本体キャビネット２に対して、ホルダー６および可動キャビネット１が相対的に上下方向（キャビネット厚み方向）に平行移動可能に支持している。
【０００９】
また、ホルダー６の挿抜口６ｃの下方位置両側部には前方に突出するホルダーガイド軸２５Ｌ，２５Ｒが前方に突出され、これらのホルダーガイド軸２５Ｌ，２５Ｒは、前面キャビネット２６とシャーシ２１の前面との間に配設されている昇降駆動ユニット２７に係合されている。
【００１０】
昇降駆動ユニット２７は、図１３に示すように、前面キャビネット２６の裏面側にビス１２ｄ〜１２ｆにより固定され、ホルダー６のホルダーガイド軸２５Ｒ，２５Ｌの移動経路を規定する上下ガイド孔２８Ｒ，２８Ｌや中央部にレバー軸挿通孔２９が形成されている昇降ガイド板３０と、ピン３１ａ，３１ｂが挿通する長孔３２ａ，３２ｂが形成されて昇降ガイド板３０にスライド自在に重ね合わされたスライド板３３となどで構成されている。ピン３２ａ，３２ｂはスライド板３３の長孔３２ａ，３２ｂを通して昇降ガイド板３０に圧入されている。昇降ガイド板３０とスライド板３３の間には引っ張りコイルバネ３４が介装されていてスライド板３３は図１６に示すように向かって左側に付勢されている。
【００１１】
スライド板３３の中央に折り曲げ加工で形成された操作レバー３３ａには、昇降ガイド板３０のレバー軸挿通孔２９を貫通して、前面キャビネット２６にスライド自在に取り付けられたオープン操作釦２６ａが係合している。スライド板３３の両端には、図１３に示すように昇降ガイド板３０の上下ガイド孔２８Ｒ，２８Ｌに係合する前記ホルダーガイド軸２５Ｒ，２５Ｌが挿通される貫通孔３３Ｒ，３３Ｌが形成されており、この貫通孔３３Ｒ，３３Ｌの一部には傾斜辺３５が形成されている。
【００１２】
また、スライド板３３には昇降ガイド板３０からスライド板３３の側に折り曲げて形成された折曲片３５ａ，３５ｂが挿通される長孔３２ｃ，３２ｄが前記長孔３２ａ，３２ｂと平行に形成されており、この長孔３２ｃ，３２ｄを貫通した折曲片３５ａ，３５ｂには、ピン３１ａ，３１ｂに外装されたネジリコイルバネ３６ａ，３６ｂの一端側が引っ掛けられている。そして、ネジリコイルバネ３６ａ，３６ｂの他端がホルダーガイド軸２５Ｒ，２５Ｌに上方から係合することにより、ホルダーガイド軸２５Ｒ，２５Ｌを介してホルダー６や可動キャビネット１が下方に付勢されている。
【００１３】
また、ホルダー６の背面には切り起こしでバネ部６ｄ（図１２参照）が形成されており、カートリッジ７が装着されている際にはバネ部６ｄによりカートリッジ７が手前側に付勢される。
【００１４】
また、中間キャビネット３８の両端の内側には、シャーシ２１の前記取付溝２１ａに係合させたリンク板１８Ｒ，１８Ｌの回転支軸２４が外れる方向へ移動しないように位置規制する凹部３８ａ，３８ｂが形成されている。中間キャビネット３８の背面の内側には、図１２と図１４と図１５に示すようにリンクアングル１９の角部に形成された切欠部１９ｃ，１９ｄに係合する突部３８ｃ，３８ｄが形成されている。さらに、中間キャビネット３８の左側面３８Ｌの内側で前記凹部３８ｂよりも前寄りの位置には、図１５に示すようにシャーシ２１の左折曲片２１Ｌに形成された前記切欠部２３を通過して先端が前記挿抜口蓋１４の支持アーム１４Ｌの先端に係合する突起３８ｅが形成されており、この突起３８ｅにより、図１５（ｂ）に示すように、可動キャビネット１とホルダー６とが上方に離脱した際には、支持アーム１４Ｌ，１４Ｒの後方延設部分が押し下げられて挿抜口蓋１４が開けられるようになっている。
【００１５】
このような構成において、可動キャビネット１とホルダー６とは図１６に示すようにネジリコイルバネ３６ａ，３６ｂによってシャーシ２１に近接する下降位置に付勢されており、また、シャーシ２１と挿抜口蓋１４の支持アーム１４Ｒとの間には、図１１に示すように中央がホルダー６の支持軸１１に挿通されたネジリコイルバネ４０が介装されていて、挿抜口蓋１４はネジリコイルバネ４０によって閉塞位置に付勢されている。
【００１６】
図１５（ａ）に示す状態からカートリッジ７を装填する場合には、前面キャビネット２６と挿抜口蓋１４に形成されている傾斜部を有する唇状の開口当接部分Ｇにカートリッジ７を押し付けて図１５（ｂ）のように押し込むと、挿抜口蓋１４がネジリコイルバネ４０の付勢に抗して閉塞位置から開放位置に回動し、挿抜口蓋１４の支持アーム１４Ｒ，１４Ｌの後端がシャーシ２１に当接してホルダー６の入口側を上方へ持ち上げる。
【００１７】
このとき、リンク機構５０を介して支持されているホルダー６および可動アーム１は、挿抜口蓋１４の閉塞位置から開放位置に回動に伴ってシャーシ２１に対して平行に上昇する。
【００１８】
ホルダー６のバネ部６ｄに抗してカートリッジ７をホルダー６に押し込んで行き、カートリッジ７が前面キャビネット２６の上縁よりも奥側に押し込まれると、カートリッジ７による挿抜口蓋１４を開放する力が解除されて、挿抜口蓋１４がネジリコイルバネ４０の付勢で閉塞位置に回動するとともに、カートリッジ７が装填されたホルダー６が、ネジリコイルバネ３６ａ，３６ｂの付勢によって降下して図１８に示す状態に変化する。この状態では、カートリッジ７に内蔵されたディスクがディスク回転駆動機構４に連結され、光ピックアップ５がディスクにアクセスできる。
【００１９】
装填されたカートリッジ７を取り出す際には、前面キャビネット２６のオープン操作ツマミ釦２６ａを向かって右方向に操作する。これにより、ホルダー６のホルダーガイド軸２５Ｒ，２５Ｌが、向かって右方向に移動するスライド板３３の貫通孔３３Ｒ，３３Ｌの傾斜辺３５によって図１７に示すように昇降ガイド板３０の上下ガイド孔２８Ｒ，２８Ｌに沿って押し上げられる。そして、ホルダー６がネジリコイルバネ３６ａ，３６ｂの付勢に抗してスライド板３３の傾斜辺３５によって押し上げられる際に、挿抜口蓋１４の支持アーム１４Ｌの先端が図１５（ｂ）に示すように中間キャビネット３８の突起３８ｅに係合して挿抜口蓋１４がネジリコイルバネ４０の付勢に抗して開放方向に回動し、前面キャビネット２６の背面とカートリッジ７との当接がなくなったときに、カートリッジ７はホルダー６のバネ部６ｄによってホルダー６から図１（ａ）に示す状態に自動排出される。
【００２０】
【発明が解決しようとする課題】
しかしながら、上記従来構成の記録／再生装置では、オープン操作ツマミ２６ａが、カートリッジ７を挿脱する前面位置に設けられているため、図１９に示す取り出し手順のように、一方の手で本体キャビネット２を保持した状態で、他方の手によりオープン操作ツマミ２６ａを動かすことにより挿抜口６ａを開け、カートリッジ７を排出させてからその手をカートリッジ７に移して取り出すという２回の操作が要求され、取り出し操作に手間が掛かっていた。
【００２１】
また、上述のように、記録／再生装置が特に薄形化したものであるため、カートリッジ７を取り出そうとしてオープン操作ツマミ２６ａを動かした際に、挿抜口６ａから出てこようとするカートリッジ７が、オープン操作ツマミ２６ａを操作する指に当接し易くなり、操作性が低下する場合があった。また、指に当接しないようにオープン操作ツマミ２６ａを小さくすると、さらに操作性が低下するおそれがあった。
【００２２】
本発明は上記問題を解決するもので、薄形化を実現できながら、取り出し操作に手間がかからず、挿抜口から出てこようとするカートリッジがオープン操作ツマミを操作する指に当接することのない記録／再生装置を提供することを目的とするものである。
【００２３】
【課題を解決するための手段】
上記問題を解決するために本発明は、手前側より奥側へカートリッジをスライド挿入してセットするように構成した記録／再生装置において、カートリッジに収納された記録媒体に対する記録／再生手段を有する第一キャビネットと、この第一キャビネットに対してその厚み方向において接近した第一の位置と離脱した第二の位置とにわたって移動自在に構成され、蓋体として機能する第二キャビネットと、この第二キャビネット内でカートリッジを保持するホルダーと、このホルダーに設けられた挿抜口を中央にしてその両側にそれぞれ配置され、第一キャビネットと第二キャビネットとを連結するリンク機構と、前記第二キャビネットを第一キャビネットに接近した第一の位置の方向に常時付勢する付勢手段と、前記第二キャビネットを前記付勢手段による付勢力に抗して前記第一の位置から第二の位置に離脱させる方向へ移動させる前記リンク機構と連動するべく構成し、第二キャビネットの第一キャビネットに対する離脱時に前面位置のホルダの挿抜口を開放させる開放手段と、前記挿抜口に隣接する前記第一キャビネットの側面箇所においてスライド自在に配置されたオープン操作ツマミとを備え、このオープン操作ツマミと前記開放手段とを連動させ、オープン操作ツマミの操作により挿抜口を開放可能に構成したことを特徴とする。
【００２４】
この構成により、薄形化を実現できながら、取り出し操作に手間がかからず、挿抜口から出てこようとするカートリッジがオープン操作ツマミを操作する指に当接することのない記録／再生装置を得ることができる。
【００２６】
【発明の実施の形態】
請求項１記載の発明は、前面側より奥側へカートリッジをスライド挿入してセットするように構成した記録／再生装置において、カートリッジに収納された記録媒体に対する記録／再生手段を有する第一キャビネットと、この第一キャビネットに対してその厚み方向において接近した第一の位置と離脱した第二の位置とにわたって移動自在に構成され、蓋体として機能する第二キャビネットと、この第二キャビネット内でカートリッジを保持するホルダーと、このホルダーに設けられた挿抜口を中央にしてその両側にそれぞれ配置され、第一キャビネットと第二キャビネットとを連結するリンク機構と、前記第二キャビネットを第一キャビネットに接近した第一の位置の方向に常時付勢する付勢手段と、前記第二キャビネットを前記付勢手段による付勢力に抗して前記第一の位置から第二の位置に離脱させる方向へ移動させる前記リンク機構と連動するべく構成し、第二キャビネットの第一キャビネットに対する離脱時に前面位置のホルダの挿抜口を開放させる開放手段と、前記挿抜口に隣接する前記第一キャビネットの側面箇所においてスライド自在に配置されたオープン操作ツマミとを備え、このオープン操作ツマミと前記開放手段とを連動させ、オープン操作ツマミの操作により挿抜口を開放可能に構成したことを特徴とする。
【００２７】
請求項１の構成によれば、片手で第一キャビネットを保持した状態で、その手の親指を用いて前記オープン操作ツマミを安定して操作することが可能となる。また、この操作によりカートリッジを片手だけで排出できるため、空いたもう一方の手はカートリッジを取り出すことのみ行うだけで済み、取り出し時の操作性が良好となる。また、オープン操作ツマミを操作する指にカートリッジが当接することがないため、これによっても操作性が良好となる。
【００２８】
請求項２記載の発明は、請求項１に記載の記録／再生装置において、オープン操作ツマミは、第一キャビネットの側面より開閉自在または離脱自在に配設された補助蓋体に、スライド自在に取り付けられていることを特徴とする。
【００２９】
請求項３記載の発明は、請求項２記載の記録／再生装置において、補助蓋体は電池用挿入口を開閉する蓋体であることを特徴とする。
以下、本発明の実施の形態に係る記録／再生装置を図１〜図３に基づいて説明する。なお、図７、図８、図１０〜図１９に示す従来の記録／再生装置とはオープン操作ツマミおよびこれに連動するリンク機構の一部分が異なるだけであるため、これに関する箇所についてのみ説明し、従来のものと同機能のものには同符号を付す。
【００３０】
図１〜図３は本発明の実施の形態における係る記録／再生装置としてのポータブルＭＤを示している。図１の（ａ）および（ｂ）は本発明の実施の形態における係る記録／再生装置としてのポータブルＭＤのカートリッジ排出状態およびカートリッジ収納状態の斜視図、図２は同ポータブルＭＤの分解斜視図、図３の（ａ）および（ｂ）は同ポータブルＭＤのカートリッジ収納状態における部分切欠平面図および部分切欠側面図、図４の（ａ）および（ｂ）は同ポータブルＭＤのカートリッジ排出状態における部分切欠平面図および部分切欠側面図、図５は同ポータブルＭＤの補助蓋体を開けた状態を示す要部斜視図、図６は同ポータブルＭＤのカートリッジ排出時の操作を示す斜視図である。
【００３１】
図１〜図５に示すように、このＭＤプレーヤは、カートリッジ７に収納された記録媒体に対する記録／再生手段としてのディスク回転駆動機構４や光ピックアップ５などを有し、上面側が開口された第一キャビネットとしての本体キャビネット２（底部蓋３９、中間キャビネット３８、前面キャビネット２６およびシャーシ２１などからなる）と、記録／再生装置の厚み方向（この実施の形態に対応する図面においては上下方向）において本体キャビネット２に接近した第一の位置（本体キャビネット２の内部に移動して沈み込んだ状態、図１（ｂ）参照）と離脱した第二の位置（本体キャビネット２から上方へ突出量ｄだけ移動した状態、図１（ａ）参照）とにわたって平行に移動自在に配置された第二キャビネットとしての可動キャビネット１と、可動キャビネット１内でカートリッジ７を保持するべく構成したホルダー６と、このホルダー６のカートリッジ７を挿抜する挿抜口６ａを中央にしてその両側に配置され、シャーシ２１などの第一キャビネットと可動キャビネット１とを連結するリンク機構６０と、可動キャビネット１を第一キャビネットに接近した第一の位置方向に常時付勢する付勢バネ３６ａ，３６ｂと、可動キャビネット１の移動動作に連動可能とされて挿抜口６ａを開閉する挿抜口蓋１４と、挿抜口６ａが設けられている前面部に隣接する第一キャビネットの側面箇所で前後にスライド自在に支持されている開放手段としての開放リンク７１と、前記側面箇所で前後にスライド自在に支持され、開放リンク７１の前部外側に固着部７４を介して取付けられた中継ツマミ７２を覆うように係合可能なオープン操作ツマミ７３とを備えている。
【００３２】
リンク機構６０は、ホルダー６と可動キャビネット１との間の側方箇所にそれぞれ収納可能とされており、前後に延びるリンクアングル６１Ｌ，６１Ｒと、これらのリンクアングル６１Ｌ，６１Ｒと同様に前後方向に延設され、ホルダー６の両側方箇所においてそれぞれリンクアングル６１Ｌ，６１Ｒと側面視してＸ形状に交差するように配置されるリンク板１８Ｌ，１８Ｒと、中間キャビネット３８の両側面の各内側に固定される支持リンク６２Ｌ，６１Ｒとから構成されている。そして、リンクアングル６１Ｌ，６１Ｒはその前端部で、ホルダ６の前端部に設けられている支持軸１１とビス（図示せず）に回動可能に係合しているとともに、その後端部が支持リンク６２Ｌ，６１Ｒの後端箇所６２ａに回動自在に係合され、これらの係合箇所を回動支点として揺動可能とされている。また、各リンク板１８Ｌ，１８Ｒは、その後端部がホルダ６の後端部の支持軸６５に回動可能に係合しているとともに、その前端部が支持リンク６２Ｌ，６１Ｒの前端部６２ｂに回動可能に係合されて、これらの箇所を回動支点として揺動可能とされている。そして、リンクアングル６１Ｌ，６１Ｒの中間部箇所とリンク板１８Ｌ，１８Ｒの中間部箇所とがピン６３で連結されており、これらのリンクアングル６１Ｌ，６１Ｒとリンク板１８Ｌ，１８Ｒとがピン６３の連結箇所を交点として側面視してＸ形状に交差するように配置されたリンク機構６０を介することで、シャーシ２１などの本体キャビネット２に対して、ホルダー６および可動キャビネット１が相対的に上下方向（キャビネット厚み方向）に平行移動可能に支持されている。
【００３３】
また、向かって右側の支持リンク６２Ｒには、開放リンク７１の後端に取付けられた摺動ローラ７１ａを通すガイド溝６２ｃが形成されているとともに、この支持リンク６２Ｒに連結されたリンク板１８Ｒの前寄り下面には、前記摺動ローラ７１ａに当接可能な傾斜面１８ａが形成されている。そして、オープン操作ツマミ７３が開放リンク７１の中継ツマミ７２に係合した状態で後方に押されて移動すると、図４（ｂ）に示すように、開放リンク７１の摺動ローラ７１ａが傾斜面１８ａに摺動しながらリンク板１８Ｒを押し上げて、この結果、ホルダー６および可動キャビネット１が相対的に上方向に押し上げられるとともに、これに連動して、挿抜口６ａを開閉する挿抜口扉１４が上方に開けられるようになっている。なお、７３は開放リンク７１の後端と支持リンク６１Ｒ前側寄り箇所にわたって架け渡された引張りばねで、開放リンク７１が前方位置に戻るように付勢している。
【００３４】
オープン操作ツマミ７３は、中間キャビネット３８の右側面の前寄り位置において開閉自在に配設された補助蓋体８０に、前後にスライド自在に取り付けられている。補助蓋体８０は、電池８１を挿入する挿入口を開閉する蓋体であり、シャーシ２１に取付けられた軸部２１ｆを中心として側方に回動可能な接続端子８２に取付けられて、接続端子８２と一体的に開閉自在とされている。そして、補助蓋体８０を閉じた際には、補助蓋体８０の大部分を覆うような比較的大きな寸法のオープン操作ツマミ７３が、その裏面側に形成された凹部７３ａで中継ツマミ７２に係合して、オープン操作ツマミ７３の動きが開放リンク７１に伝達されるようになっている。なお、８３は、オープン操作ツマミ７３を補助蓋体８０における所定位置まで戻す復帰バネである。
【００３５】
この構成によっても、ホルダー６を備えた可動キャビネット１が、図１（ａ）に示すように、カートリッジ７を着脱する際にのみ、本体キャビネット２の上面開口部１０から上方へ所定突出量ｄだけ移動し、カートリッジ７の挿入・取り出しを行う着脱の際以外のカートリッジ非装着状態および装着完了状態では、図１（ｂ）に示すように、可動キャビネット１が本体キャビネット２の内部に移動して沈み込んだ状態、すなわちキャビネットの厚み方向において近接した状態となる。これにより、カートリッジ７を昇降させるスペースをキャビネット内に確保した構造のものに比べて、薄型化を実現できる。
【００３６】
また、図１（ａ）に示すように、補助蓋体８０を閉じた状態でオープン操作ツマミ７３を矢印方向に移動させるとオープン操作ツマミ９３に連動した開放リンク７１の摺動ローラ７１ａがリンク板１８Ｒの傾斜面１８ａに当接してリンク板１８Ｒを押し上げながら移動し、この結果、ホルダー６および可動キャビネット１が、シャーシ２１などに近接した第一の位置から上方向に押し上げられて、シャーシ２１などから離脱した第二の位置に移動し、これに連動して挿抜口扉１４が上方に開けられて挿抜口６ａが開口し、カートリッジ７が排出される。
【００３７】
また、オープン操作ツマミ９３が挿抜口６ａが位置する前面ではなくて、隣接する側面に配設されているため、図６に示すように、片手でポータブルＭＤを安定して保持した状態で、その手の親指を用いてオープン操作ツマミ７３を容易に操作することができる。また、この操作によりカートリッジ７を片手だけで排出できるため、空いたもう一方の手はカートリッジ７を取り出すことのみ行うだけで済み、取り出し時の操作性が良好となる。また、上述したように、薄型化を実現できながら、カートリッジ７を排出する際にオープン操作ツマミ７３を操作する指にカートリッジ７が当接することがないため、これによっても操作性が向上する。また、オープン操作ツマミ７３をポータブルＭＤの厚みの範囲内で大きくしても支障を生じないため、オープン操作ツマミ７３を適度な大きさにでき、これによっても良好な操作性を得られる。
【００３８】
また、オープン操作ツマミ７３を、電池挿入用挿入口を開閉する補助蓋体８０に設けたので、補助蓋体とオープン操作ツマミとをそれぞれ別個の場所に設けた場合に比べて、外観の単純化を図れる。
【００３９】
なお、上記の実施の形態においては、電池挿入用挿入口を開閉する補助蓋体８０にオープン操作ツマミ７３を設けたが、別の箇所に配設可能であることはもちろんである。また、上記の実施の形態では記録／再生装置がポータブルＭＤである場合を述べたが、これに限るものではなく、光ディスクカートリッジの他、磁気ディスクカートリッジやカセットテーププレーヤの場合のテープカートリッジを扱う記録／再生装置にも適用できることはいうまでもない。
【００４０】
【発明の効果】
以上のように本発明によれば、カートリッジの挿入・取り出し時には第二キャビネットが第一キャビネットからその厚み方向に略平行に離脱して前記挿抜口が開口されてカートリッジの挿入・取り出しを行え、それ以外の時には、第二キャビネットが第一キャビネットに接近して薄形化が可能とされた記録／再生装置において、オープン操作ツマミを、前面に配置されている挿抜口に隣接する前記第一キャビネットの側面箇所に配置したことにより、カートリッジの排出時には、片手で記録／再生装置を安定して保持した状態で、その手の親指を用いてオープン操作ツマミを容易に操作することができ、もう一方の手でカートリッジを取り出すだけで済み、取り出し時の操作性が良好となる。また、薄型化を実現できながら、カートリッジを排出する際にオープン操作ツマミを操作する指にカートリッジが当接することがないため、これによっても操作性が向上する。さらに、オープン操作ツマミを記録／再生装置の厚みの範囲内で大きくしても支障を生じないため、オープン操作ツマミを適度な大きさにでき、これによっても良好な操作性を得られる。
【００４１】
また、オープン操作ツマミを、電池挿入用挿入口を開閉するなどの用途の補助蓋体に設けることで、補助蓋体とオープン操作ツマミとをそれぞれ別個の場所に設けた場合に比べて、外観の単純化を図れる。
【図面の簡単な説明】
【図１】（ａ）および（ｂ）は本発明の実施の形態における記録／再生装置としてのポータブルＭＤのカートリッジ排出状態およびカートリッジ収納状態の斜視図
【図２】同ポータブルＭＤの分解斜視図
【図３】（ａ）および（ｂ）は同ポータブルＭＤのカートリッジ収納状態における部分切欠平面図および部分切欠側面図
【図４】（ａ）および（ｂ）は同ポータブルＭＤのカートリッジ排出状態における部分切欠平面図および部分切欠側面図
【図５】同ポータブルＭＤの補助蓋体を開けた状態を示す要部斜視図
【図６】同ポータブルＭＤのカートリッジ排出時の操作を示す斜視図
【図７】（ａ）および（ｂ）は、従来のポータブルＭＤにおけるカートリッジ着脱状態と、これ以外のカートリッジ非装着状態および装着完了状態とのそれぞれの状態を示す外観斜視図
【図８】（ａ）および（ｂ）は、それぞれ同従来のポータブルＭＤの断面図
【図９】（ａ）および（ｂ）は、それぞれ比較例のポータブルＭＤの断面図
【図１０】図８、図９に示す従来のポータブルＭＤの分解斜視図
【図１１】同従来のポータブルＭＤにおける可動キャビネットとホルダーとその周辺の分解斜視図
【図１２】同従来のポータブルＭＤにおける可動キャビネットとホルダーとの組立品にシャーシを組み付ける状態の斜視図
【図１３】同従来のポータブルＭＤにおけるホルダーのロック手段の分解斜視図
【図１４】同従来のポータブルＭＤにおける前面パネルと中間キャビネット取り付け状態を示す分解斜視図
【図１５】（ａ）および（ｂ）は、同従来のポータブルＭＤにおけるカートリッジ着脱状態とこれ以外のカートリッジ非装着状態および装着完了状態の正面図
【図１６】同従来のポータブルＭＤにおけるカートリッジ挿入前のロック手段を示す正面断面図
【図１７】同従来のポータブルＭＤにおけるカートリッジ挿入後でオープン操作釦の操作状態を示す正面断面図
【図１８】同従来のポータブルＭＤにおけるカートリッジ挿入後を示す正面断面図
【図１９】同従来のポータブルＭＤにおけるカートリッジ取り出し手順を示す斜視図
【符号の説明】
１      可動キャビネット（第二キャビネット）
２      本体キャビネット（第一キャビネット）
４      ディスク回転駆動機構
５      光ピックアップ
６      ホルダー
６ａ    挿抜口
１４    挿抜口蓋
１８ａ    傾斜面
１８Ｌ，１８Ｒ    リンク板
３６ａ，３６ｂ    付勢バネ（付勢手段）
６０    リンク機構
６１Ｌ，６１Ｒ    リンクアングル
６３    ピン
７１    開放リンク（開放手段）
７１ａ    摺動ローラ
７２    中継ツマミ
７３    オープン操作ツマミ
８０      補助蓋体
８１      電池
【図１】
0004480250.tif 000002
【図２】
0004480250.tif 000003
【図３】
0004480250.tif 000004
【図４】
0004480250.tif 000005
【図５】
0004480250.tif 000006
【図６】
0004480250.tif 000007
【図７】
0004480250.tif 000008
【図８】
0004480250.tif 000009
【図９】
0004480250.tif 000010
【図１０】
0004480250.tif 000011
【図１１】
0004480250.tif 000012
【図１２】
0004480250.tif 000013
【図１３】
0004480250.tif 000014
【図１４】
0004480250.tif 000015
【図１５】
0004480250.tif 000016
【図１６】
0004480250.tif 000017
【図１７】
0004480250.tif 000018
【図１８】
0004480250.tif 000019
【図１９】
0004480250.tif 000020